(57)【要約】【課題】反射部における光の透過率や輝度を低下させることなく、高品質のカラー画像を表示することができ、製造作業の向上を図りつつ、隣位する画素の透明電極間のリークの問題を解決することのできる半透過反射型液晶表示パネルを提供する。【解決手段】２枚の透明基板１間に液晶を封入した液晶セルを構成する各画素内に反射部Ｂと透過部Ａとを有し、各画素間には反射層６が配設された半透過反射型液晶表示パネルの前記各画素間に配設された反射層６上に、隣位する画素間の幅よりも狭幅に形成された暗色系の遮光膜７を配設する。【選択図】　　　　　　図１
2004093940.tif 000002
【特許請求の範囲】
【請求項１】
２枚の透明基板間に液晶を封入した液晶セルの、透明電極が対向配置されてなる各画素内に、
反視認側に配置される透明基板上に反射層を介在させずに透過部カラーフィルタ層が形成された透過部と、前記反視認側に配置される透明基板上に反射層を介在させて反射部カラーフィルタ層が形成された反射部とを有し、
前記各画素間に、前記反射部の反射層と連続する反射層が配設された半透過反射型液晶表示パネルにおいて、
前記各画素間に配設された反射層上には、隣位する画素間の幅よりも狭幅に形成された暗色系の遮光膜が配設されていることを特徴とする半透過反射型液晶表示パネル。
【請求項２】
前記遮光膜は、隣位する画素の透過部との接辺に接するように配設されていることを特徴とする請求項１に記載の半透過反射型液晶表示パネル。
【請求項３】
前記反射部カラーフィルタ層には開口部が形成されていることを特徴とする請求項１または請求項２に記載の半透過反射型液晶表示パネル。
【請求項４】
前記遮光膜は、その幅寸法をＷｂとし、隣位する画素間の幅をＷｓとした場合における
１／３Ｗｓ　＜　Ｗｂ　＜　２／３Ｗｓ
の条件を満たす幅寸法で形成されていることを特徴とする請求項１乃至請求項３のいずれか１項に記載の半透過反射型液晶表示パネル。
【発明の詳細な説明】
【０００１】
【発明の属する技術分野】
本発明は半透過反射型液晶表示パネルに係り、特に、透明電極間におけるリークの問題を解消し、輝度の良好なカラー画像を表示することができる半透過反射型液晶表示パネルに関する。
【０００２】
【従来の技術】
従来から、携帯電話等の文字画像表示画面として、液晶セルの内面における１画素内に、外光を利用して表示を行なう反射部及びバックライトユニットからの照射光を利用して表示を行なう透過部の双方を有する構成の半透過反射型液晶表示パネルが用いられている。
【０００３】
図５乃至図７に示す半透過反射型液晶表示パネルは、透明基板１の上面の前記透過部Ａとして機能する領域以外の領域に、Ａｌ等の金属膜からなる反射層２が積層形成されている。
【０００４】
そして、この反射層２が形成された領域中の前記透過部Ａ側の領域は、前記画素を構成する前記反射部Ｂとして形成されており、前記反射層２が形成された領域中の前記反射部Ｂ以外の領域は、各画素間に位置し、主に、前記バックライトユニットからの照射光を利用して表示を行なう際の遮光膜として機能するように構成されている。
【０００５】
そして、前記透過部Ａは、透明基板１の上面に、赤、緑および青のいずれかの色の透過部カラーフィルタ層（以下、透過部ＣＦ層）３が直接、形成されている。
【０００６】
また、前記反射部Ｂは、前記反射層２上に透明樹脂からなる段差層４が形成されており、この段差層４上には、赤、緑および青のいずれかの色の反射部カラーフィルタ層（以下、反射部ＣＦ層）５が形成されている。
【０００７】
このとき、前記反射部ＣＦ層５は、その厚さ寸法を、反射時、透過時に同様の色再現性を有するべく、反射部ＣＦ層５を通過する光路長と、前記透過部ＣＦ層３を通過する光路長を同じくするように調整して形成されており、前記反射部Ｂは、前述のようにして層の厚さを調整された反射部ＣＦ層５の上面を、透過部Ａを構成する前記透過部ＣＦ層３の上面と面一にすべく、前記段差部４の厚さが調整されて形成されている。
【０００８】
そして、面一とされた両カラーフィルタ層３，５の上面には、ＩＴＯ（酸化インジウム錫）等からなる透明電極６がスパッタリング等により形成されている。
【０００９】
なお、本明細書中において、１画素内とは、カラー画像を形成する１ドット表示中における赤、緑および青の各１色単位の範囲をいい、同一の１画素を構成する前記反射部ＣＦ層５と透過部ＣＦ層３は同一色とされている。
【００１０】
そして、このような半透過反射型液晶表示パネルには、反射層２の背面側に図示しないバックライトユニットが設けられており、外光が十分入射される場合には前記反射部Ｂにおいて外光を反射層４で反射させてその反射光を反射部ＣＦ層５に透過させてカラー画像を表示し、外光が入射されにくい等の場合には、前記反射層２を遮光膜として作用させ、前記透過部Ａにおいてバックライトユニットからの照射光を透過部ＣＦ層３を透過させてカラー画像を表示するようになっている。
【００１１】
【発明が解決しようとする課題】
ところで、前述のような構成を有する半透過反射型液晶表示パネルを製造する工程には、前記透明電極６の形成時におけるＩＴＯ等の残留（以下、ＩＴＯ残滓という）を原因とする、隣位する画素の透明電極６間を接続するリーク箇所を検出し、そのリーク箇所を発見した場合には、切断するという再生作業がある。
【００１２】
この再生作業はレーザリペアと称されており、リークを発生させるＩＴＯ残滓を作業者が顕微鏡で目視し、確認してから、レーザ光を照射して、前記ＩＴＯ残滓のリーク箇所を切断するといったことがなされている。
【００１３】
しかし、この顕微鏡による目視確認作業は、前述した構成の半透過反射型液晶表示パネルの場合には、リーク箇所を確認する部分の背景下地は、各画素間に配置された金属膜からなる前記反射層２であるため、透明電極６を構成するＩＴＯの視認は、作業者にとって非常に困難であった。
【００１４】
そして、このレーザリペアの作業上の問題を解決する方法として、各画素間に暗色系の遮光膜７を別途配設して、ＩＴＯ残滓やリーク箇所を目視しやすいように構成することが考えられる。
【００１５】
ここで、近年、外光を利用して前記反射部においてカラー画像を表示する場合、その表示されるカラー画像の輝度を向上させるべく、図５及び図７に示すように、その反射部ＣＦ層５に開口部（以下、ＣＦ開口部）８を形成した半透過反射型液晶表示パネルが開発されている。
【００１６】
前記ＣＦ開口部８を通過する外光または反射光は、前記反射部ＣＦ層５を通過する光路長が短くなり、よって、色調の点では本来の目的の色調とは異なるものの、その輝度は増すことになる。そして、前記色調の問題はカラー表示全体として見た場合に他の部分で補うことが可能であり、結果として、このようなＣＦ開口部８を形成した場合のカラー表示の方が鮮明なものとすることができるため、この構成を採用する半透過反射型液晶表示パネルの利用価値は高い。
【００１７】
しかしながら、このようなＣＦ開口部８を形成した半透過反射型液晶表示パネルの場合に、前述のレーザリペアの作業上の問題を解決する手段としての暗色系の遮光膜７を配設する方法を採用すると、遮光膜７の配設時に、配設位置にズレが発生すると、前記遮光膜７が前記ＣＦ開口部８を埋めてしまい、折角、反射時の輝度を確保するために形成したＣＦ開口部８が十分な機能を果たさなくなるといった新たな問題が生じる。
【００１８】
本発明はこのような問題点に鑑みてなされたもので、反射部における光の透過率や輝度を低下させることなく、高品質のカラー画像を表示することができ、製造作業の向上を図りつつ、隣位する画素の透明電極間のリークの問題を解決する半透過反射型液晶表示パネルを提供することを目的とする。
【００１９】
【課題を解決するための手段】
前記目的を達成するため、請求項１に記載の発明に係る半透過反射型液晶表示パネルは、２枚の透明基板間に液晶を封入した液晶セルの、透明電極が対向配置されてなる各画素内に、反視認側に配置される透明基板上に反射層を介在させずに透過部カラーフィルタ層が形成された透過部と、前記反視認側に配置される透明基板上に反射層を介在させて反射部カラーフィルタ層が形成された反射部とを有し、前記各画素間に、前記反射部の反射層と連続する反射層が配設された半透過反射型液晶表示パネルにおいて、前記各画素間に配設された反射層上には、隣位する画素間の幅よりも狭幅に形成された暗色系の遮光膜が配設されていることを特徴とする。
【００２０】
この請求項１に記載の発明によれば、前記遮光膜を透明電極間の幅寸法よりも狭幅とすることで、その配設時における位置合わせ精度を厳格に要求されることがなく、前記遮光膜の配設も容易にでき、しかも、この遮光膜により、レーザリペアを行なう際にリーク箇所を目視し易くなる。
【００２１】
また、請求項２に記載の発明に係る半透過反射型液晶表示パネルは、請求項１に記載の半透過反射型液晶表示パネルにおいて、前記遮光膜は、隣位する画素の透過部との接辺に接するように配設されていることを特徴とする。
【００２２】
この請求項２に記載の発明によれば、隣位する画素を構成する透過部との接辺に接するようにして暗色系の遮光膜を形成することで、少なくとも、当該透過部の透明電極に接続するＩＴＯ残滓は確実に検出することができるので、リーク箇所の見落としを防止することができ、また、遮光膜の配設時の位置ズレの問題をより解消することができる。
【００２３】
そして、請求項３に記載の半透過反射型液晶表示パネルは、請求項１または請求項２に記載の半透過反射型液晶表示パネルにおいて、前記反射部カラーフィルタ層には開口部が形成されていることを特徴とする。
【００２４】
この請求項３に記載の発明によれば、遮光膜の配設時に万が一位置ズレが生じた場合にも、前記ＣＦ開口部を遮光膜が埋める可能性は極めて小さいものとなる。よって、前記反射部を利用したカラー画像の表示の際に前記ＣＦ開口部によって輝度を補い、明瞭なカラー画像表示を行なうことができるものとなる。
【００２５】
また、請求項４に記載の半透過反射型液晶表示パネルは、請求項１乃至請求項３のいずれか１項に記載の半透過反射型液晶表示パネルにおいて、前記遮光膜は、その幅寸法をＷｂとし、隣位する画素間の幅をＷｓとした場合における、１／３Ｗｓ＜Ｗｂ＜２／３Ｗｓの条件を満たす幅寸法で形成されていることを特徴とする。
【００２６】
この請求項４に記載の発明によれば、遮光膜の配設の際の位置精度を勘案した作業性の向上とＩＴＯ残滓の検出の確実性の双方の目的を効率よく遂げることができる。
【００２７】
【発明の実施の形態】
以下、前述の従来の半透過反射型液晶表示パネルと同一の構成については同一の符号を付して説明する。
【００２８】
図１及び図２に示す半透過反射型液晶表示パネルは、透明基板１の上面の前記透過部Ａとして機能する領域以外の領域に、Ａｌ等の金属膜からなる反射層２が積層形成されている。
【００２９】
前記反射層２が形成された領域中の前記透過部Ａ側の領域は、前記反射部Ｂとして形成されており、前記反射層２上に透明樹脂からなる段差層４が形成され、さらに、その段差層４上には、赤、緑および青のいずれかの色の反射部ＣＦ層５が形成されている。
【００３０】
また、前記反射層２が形成された領域中の前記反射部Ｂ以外の領域（非反射部）は、各画素間に位置し、主に、前記バックライトユニットからの照射光を利用して表示を行なう際の遮光膜として機能するように構成されている。
【００３１】
そして、前記透過部Ａは、透明基板１の上面に、赤、緑および青のいずれかの色の透過部ＣＦ層３が直接形成されている。
【００３２】
このとき、前記反射部ＣＦ層５は、その厚さ寸法を、反射時、透過時に同様の色再現性を有するべく、反射部ＣＦ層５を通過する光路長と、透過部ＣＦ層３を通過する光路長を同じくするように調整して形成されており、前記反射部Ｂは、前述のようにして層の厚さを調整された反射部ＣＦ層５の上面を、透過部Ａを構成する前記透過部ＣＦ層Ａの上面と面一にすべく、前記段差部４の厚さが調整されて形成されている。
【００３３】
そして、透過部ＣＦ層３及び反射部ＣＦ層５の上面には、ＩＴＯ（酸化インジウム錫）等からなる透明電極６がスパッタリング等により形成されている。
【００３４】
またさらに、本実施形態においては、前記非反射部内の中央部に、隣位する画素の透明電極６間のリーク箇所やＩＴＯ残滓を検出するための暗色系の遮光膜７が、前記透明電極６の延在方向に沿うようにしてライン状に配設されている。
【００３５】
本実施形態の遮光膜７の幅は、前記隣位する透明電極６間の幅寸法よりも狭幅に形成されている。具体的には、前記遮光膜７の幅寸法Ｗｂは、隣位する透明電極６間の幅をＷｓとした場合に、１／３Ｗｓ＜Ｗｂ＜２／３Ｗｓの条件を満たすように形成する。
【００３６】
このように、隣位する透明電極６間の中央部に暗色系の遮光膜７を形成することで、前述のようにレーザリペアを行なう際に、前記透明電極６間の島状のＩＴＯ残滓が目視し易くなる。すなわち、隣位する画素の透明電極６間のＩＴＯ残滓は、Ａｌ等の金属からなる反射層２を背景下地として目視する場合には、その反射層２の反射光が作用し、あるいは、反射層２にＩＴＯが視認的に同化して極めて検出しにくかったが、暗色系の遮光膜７を背景にして目視する場合には、そのようなことがなく、ＩＴＯ残滓やリーク箇所を極めて検出し易くなる。
【００３７】
そして、前記遮光膜７を透明電極６間の幅寸法よりも狭幅とすることで、その配設時における位置合わせ精度を厳格に要求されることがなく、前記遮光膜７の配設も容易にできる。特に、前記条件を満たす幅寸法に形成することで、前述の遮光膜７の配設の際の位置精度を勘案した作業性の向上とＩＴＯ残滓の検出の確実性の双方の目的を効率よく遂げることができるものとなる。
【００３８】
また、図３及び図４に示す半透過反射型液晶表示パネルは、前述の実施形態の半透過反射型液晶表示パネルの応用であり、前記暗色系の遮光膜７は、非反射部形成側に隣位する画素を構成する透過部Ａとの接辺に接するようにして、前記隣位する画素の透明電極６間よりも狭幅のライン状に配設されている。
【００３９】
このように、隣位する画素を構成する透過部Ａとの接辺に接するようにして暗色系の遮光膜７を形成することで、少なくとも、当該透過部Ａの透明電極６に接続するＩＴＯ残滓は確実に検出することができるので、リーク箇所の見落としを防止することができ、また、遮光膜７の配設時の位置ズレの問題をより解消することができる。特に、図３及び図４に示すようなＣＦ開口部８を有する構成の半透過反射型液晶表示パネルにおいて有効な構成となる。そして、その遮光膜７の配設時に万が一位置ズレが生じた場合にも、前記ＣＦ開口部８を前記遮光膜７が埋める可能性は極めて小さいものとなる。よって、前記反射部Ｂを利用したカラー画像の表示の際に、前記ＣＦ開口部８によって輝度を補い、明瞭なカラー画像表示を行なうことができる。
【００４０】
なお、本発明は、前述した実施の形態に限定されるものではなく、必要に応じて種々の変更が可能である。
【００４１】
例えば、前記実施形態においては、前記画素の配列はストライプ状の場合を以て説明したが、本発明は、画素の配列をストライプ状にかぎるものではない。
【００４２】
【発明の効果】
以上述べたように構成された本発明の半透過反射型液晶表示パネルは、反射層上の非反射部に配設した暗色系の遮光膜によって、隣位する画素の透明電極間のＩＴＯ残滓やリーク箇所を目視し易い構成とされておりので、リークを原因とする接続不良の問題のない、良好な接続信頼性を示す半透過反射型液晶表示パネルを提供することが可能となる。
【００４３】
その遮光膜の幅寸法を、前記隣位する透明電極間寸法よりも狭幅とすることにより、その配設作業も容易となる。
【００４４】
そして、前記半透過反射型液晶表示パネルがその反射部にＣＦ開口部を有する構成である場合には、隣位する画素の透過部との接辺に接するように形成することで、その遮光膜の配設時に多少の位置ズレが生じた場合にも、前記ＣＦ開口部を遮光膜が埋める可能性は極めて小さいものとなるので、前記反射部を利用したカラー画像の表示の際に前記ＣＦ開口部によって輝度を補うことを妨害することがなく、明瞭なカラー画像表示を行なうことができる等の優れた効果を有する。
【図面の簡単な説明】
【図１】本発明の半透過反射型液晶表示パネルの一実施形態を示す要部平面透視図
【図２】図１の半透過反射型液晶表示パネルのＩＩ−ＩＩ断面図
【図３】本発明の半透過反射型液晶表示パネルの別の実施形態を示す要部平面透視図
【図４】図３の半透過反射型液晶表示パネルのＩＶ−ＩＶ断面図
【図５】従来の半透過反射型液晶表示パネルの要部平面透視図
【図６】図５のＶＩ−ＶＩ断面図
【図７】図５のＶＩＩ−ＶＩＩ断面図
【符号の説明】
１　透明基板
２　反射層
３　透過部カラーフィルタ層
４　段差層
５　反射部カラーフィルタ層
６　透明電極
７　遮光膜
８　開口部
Ａ　透過部
Ｂ　反射部
【図１】
2004093940.tif 000003
【図２】
2004093940.tif 000004
【図３】
2004093940.tif 000005
【図４】
2004093940.tif 000006
【図５】
2004093940.tif 000007
【図６】
2004093940.tif 000008
【図７】
2004093940.tif 000009